【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
コンピュータと共に使用されるコンピュータマウスであって、前記コンピュータマウスは下記を含む：
−作業表面を横切ってスライドするために構成された下面を有する基部、ここで、前記下面は、基部接触平面の一部を形成する少なくとも一つの部分を有している；
−前記基部から延びる上部本体；
−少なくとも一つの接触センサ;
−前記作業表面に対するマウス移動を検出することが可能な移動センサシステム、ここで、前記移動センサシステムは、光学移動センサシステムを含み、この光学移動センサシステムは、前記作業表面を照らすように構成された光源、及び、前記作業表面からの反射光を受信して前記作業表面の画像を取得するように構成された画像センサ又はアレイを含み、ここでは、継続して取得された画像が比較されて、マウス移動が判定される；
−コンピュータ可読の移動及び／又は位置データ信号をデバイスから前記コンピュータに通信するための通信システム、ここで、前記移動データ信号は、前記検出されたマウス移動を示しており、前記位置データ信号は、前記マウスの位置を示しており、前記マウスは、
・第１の向きに向けられたときの第１モード、及び
・第２の向きに向けられたときの第２モード、ここで、前記基部接触平面は、前記第１の向きに対して傾斜されている、
において動作するように構成されており、
さらに特徴として、前記画像センサ又はアレイは、前記第１及び第２のモードにおいて、前記作業表面の画像を取得するように構成されており、ここで、継続して取得された画像が比較されて、前記第１及び第２のモードの両方におけるマウス移動が判定される。
【請求項２】
請求項１に記載のコンピュータマウスであって、ここで、前記移動センサシステムは、第１及び第２のモードの両方において、前記作業表面に対するデバイス移動及び／又は位置を検出するように構成されている。
【請求項３】
請求項１又は２に記載のコンピュータマウスであって、これはさらに、前記モードを始めるように構成された少なくとも一つのモードセンサを含み、ここで、前記光源は、前記モードセンサがある、あるいはその近くにある前記作業表面を照らすように構成されている
【請求項４】
請求項１〜３のいずれか１項に記載のコンピュータマウスであって、これはさらに、前記マウスが前記第１又は第２の向きにそれぞれあるときに前記第１又は第２のモードを始めるように構成された少なくとも一つのモードセンサを含む。
【請求項５】
請求項４に記載のコンピュータマウスであって、ここで、前記モードセンサは、前記モードセンサが前記作業表面に接触したときに、前記第２モードを始めるように構成されている。
【請求項６】
請求項４に記載のコンピュータマウスであって、ここで、前記モードセンサは、前記モードセンサが前記作業表面に向けて押し付けられたときに、前記第２モードを始めるように構成されている。
【請求項７】
請求項４〜６のいずれか１項に記載のコンピュータマウスであって、ここで、前記モードセンサは、前記基部接触平面に向けて延びる突出部を含む。
【請求項８】
請求項７に記載のコンピュータマウスであって、ここで、前記モードセンサの突出部は、前記基部接触平面の上方に配置されている。
【請求項９】
請求項７又は８に記載のコンピュータマウスであって、ここで、前記モードセンサの突出部は、解放可能なように、前記コンピュータマウスに接続されている。
【請求項１０】
請求項４〜９のいずれか１項に記載のコンピュータマウスであって、ここで、前記モードセンサの突出部は、前記作業表面に接触するための外側接触面を有しており、前記外側接触面は、解放可能なように接続されている。
【請求項１１】
スクロールホイールを含む、請求項４〜１０のいずれか１項に記載のコンピュータマウスであって、前記スクロールホイールは、前記モードセンサを含んでいる。
【請求項１２】
請求項１〜１１のいずれか１項に記載のコンピュータマウスであって、これは、前記上部本体に配置された少なくとも一つの接触センサを含み、前記接触センサは、前記基部接触平面に向かう方向に加えられた接触又は力により起動される。
【請求項１３】
請求項１〜１２のいずれか１項に記載のコンピュータマウスであって、ここで、前記第２の方向は、前記作業表面に対する前記基部接触平面の、少なくとも５度での傾斜を含む。
【請求項１４】
請求項１〜１２のいずれか１項に記載のコンピュータマウスであって、ここで、前記第２の方向は、前記作業表面に対する前記基部接触平面の、１〜５０度の間での傾斜を含む。
【請求項１５】
請求項１４に記載のコンピュータマウスであって、ここで、前記第２の方向は、前記作業表面に対する前記基部接触平面の、７〜３０度の間での傾斜を含む。
【請求項１６】
請求項１〜１５のいずれか１項に記載のコンピュータマウスであって、ここで、前記上部本体は、前記基部から上向きに突出する突起部を含み、さらに、指係合表面を、前記突起部の両側面において含み、これにより、ユーザは、前記コンピュータマウスを、指と親指との間でつまむことによって把持できるようになっている。
【請求項１７】
請求項１〜１６のいずれか１項に記載のコンピュータマウスであって、これは、開始位置に対して移動検出システムにより検出された前記マウスの移動データを用いて算出された位置データ信号を提供するように構成されている。
【請求項１８】
請求項１〜１７のいずれか１項に記載のコンピュータマウスであって、これは、前記第２のモードにおいて、タッチイベントを前記コンピュータに提供するように構成されている。
【請求項１９】
請求項１８に記載のコンピュータマウスであって、ここで、前記コンピュータマウスは、前記移動又は位置データ信号を、前記移動及び／又は位置に対応するタッチイベントに変換するように構成されている。
【請求項２０】
請求項１８〜２０のいずれか１項に記載のコンピュータマウスであって、ここで、前記コンピュータマウスは、前記移動又は位置データ信号を前記コンピュータに提供し、さらに、前記コンピュータは、前記データ信号を、前記移動及び／又は位置に対応するタッチイベントに変換するように構成されている。
【請求項２１】
請求項１９又は２０に記載のコンピュータマウスであって、これは、前記モードセンサによる前記第２のモードの開始において、既定の開始位置におけるタッチイベントを提供するように構成されており、さらに、前記コンピュータマウスは、前記開始位置に対応する位置データ信号を生成するようになっている。
【請求項２２】
請求項１８〜２１のいずれか１項に記載のコンピュータマウスであって、ここで、モードセンサにより前記第２のモードが開始されると、前記コンピュータマウスは、対応するタッチイベントを生成するように構成される。
【請求項２３】
請求項２２に記載のコンピュータマウスであって、ここで、二つの継続するタッチイベントの後に、前記マウスは、タッチイベントのための開始位置を示す位置データ信号を、前記コンピュータに接続された表示スクリーンの縁に対応して、前記コンピュータに提供するように構成される。
【請求項２４】
請求項２３に記載のコンピュータマウスであって、ここで、前記二つの継続するタッチイベントの後に前記第２のモードにおいて行われた何らかの後続のスワイプジェスチャは、所定の縁から離れる対応方向におけるタッチイベントを示す位置及び／又は移動データ信号として提供されるように構成されており、ここで、前記所定の縁は、前記スワイプジェスチャにおける前記方向により推測される。
【請求項２５】
請求項１８〜２４のいずれか１項に記載のコンピュータマウスであって、ここで、前記コンピュータマウスは、スワイプジェスチャとして解釈されるマウス移動の後に、再開位置におけるタッチイベントを示す位置データ信号を提供するように構成されており、さらに、前記スワイプジェスチャは、前記第２のモードにおける開始位置からのポインティングマウスの移動となっている。
【請求項２６】
請求項１８〜２５のいずれか１項に記載のコンピュータマウスであって、ここで、前記コンピュータマウスは、前記マウスが既定位置に移動するときに、データ信号を前記コンピュータに提供するように構成されており、さらに、前記データ信号は、タッチイベントの終了に対応するデータ信号を含んでおり、その後に、後続のタッチイベントのための再開位置を示す位置データ信号が続くようになっている。
【請求項２７】
請求項２６に記載のコンピュータマウスであって、ここで、前記既定の位置は、前記コンピュータに接続された表示スクリーンの縁に対応する縁からの閾値距離の範囲内にある。
【請求項２８】
請求項１８〜２７のいずれか１項に記載のコンピュータマウスであって、これは、スワイプ、フリック、スクロール、又はカスタムジェスチャのタッチイベントの後に、スクリーン上のポインタ又はタッチイベントを開始位置に再配置するように構成されている。
【請求項２９】
請求項１８〜２８のいずれか１項に記載のコンピュータマウスであって、ここで、前記タッチイベントは、タップ、選択、スワイプ、フリック、スクロール、又はカスタムタッチのジェスチャを含む。
【請求項３０】
請求項１８〜２９のいずれか１項に記載のコンピュータマウスであって、ここで、タッチイベントのための開始位置は、前記第２のモードが始まる前における前記第１のモードにあるときのスクリーン上のポインタの位置である。
【請求項３１】
請求項１８〜３０のいずれか１項に記載のコンピュータマウスであって、ここで、開始位置は、前記コンピュータに接続された表示スクリーンの中央、隅、又は縁の位置に対応する位置である。
【請求項３２】
請求項１８〜３１のいずれか１項に記載のコンピュータマウスであって、ここで、前記第１のモードは、ポインティングモードを含み、かつ、前記ポインティングモードでは、前記コンピュータマウスは、スクリーン上のポインタ移動又は位置をそれぞれ示す前記移動又は位置データ信号を生成するように構成されている。
【手続補正２】
【補正対象書類名】明細書
【補正対象項目名】０１５４
【補正方法】変更
【補正の内容】
【０１５４】
本発明のさらなる態様が後続の説明から明らかになるであろう。この説明は、単に例としてのみ与えられており、かつ、以下の添付図面を参照している。
【図１】ホストコンピュータと本発明の一実施形態によるコンピュータマウスとを示す。
【図２ａ】図１のコンピュータマウスの背面図を示す。
【図２ｂ】図１のコンピュータマウスの背面図であって、第２のモードで操作する為に傾斜を付けられた状態を示す。
【図３ａ】図１〜２のコンピュータマウスの部分断面図を示す。
【図３ｂ】図３ａのコンピュータマウスの部分断面図であって、第２のモードで動作する為に傾斜が付けられた状態を示す。
【図４】図１〜３のコンピュータマウスの光学系の概念図である。
【図５】図１〜３のコンピュータマウスの代替的光学系の概念図である。
【図６】本発明の好ましい実施形態によるコンピュータマウスの下部を示す。
【図７】図６のコンピュータマウスの横断面図である。
【図８】図６及び７のコンピュータマウスの斜視図である。
【図９】図６〜８のコンピュータマウスの光学センサ系を通る断面図である。
【図１０】図６〜９のコンピュータマウスの正面図を示す。
【図１１ａ】図６〜１０のコンピュータマウスの部分拡大図を示す。
【図１１ｂ】コンピュータマウスが第２の「ジェスチャ」モードで動作するために傾けられた状態にある時の、図１１ａの拡大図を示す。
【図１２】本発明の第２実施形態のコンピュータマウスの斜視図を示す。
【図１３】図１２のコンピュータマウスの正面図を示す。
【図１４】図１２及び１３のコンピュータマウスの、他の斜視図を示す。
【図１５】本発明の第３実施形態におけるコンピュータマウスの側面図を示す。
【図１６】図１５のマウスの背面図を示す。
【図１７】水平方向にスクロールされる複数ページの書類を有するコンピュータ・ディスプレイ・スクリーンを示す。
【図１８】右手側メニューが表示されたコンピュータ・ディスプレイ・スクリーンを示す。
【図１９】コンピュータマウスのための構成オプションを表すウエブページを示す。
【手続補正３】
【補正対象書類名】明細書
【補正対象項目名】０１５６
【補正方法】変更
【補正の内容】
【０１５６】
2015532736.tif 000001